(57)【特許請求の範囲】
【請求項１】
複数の機能ブロックを配置する領域と機能ブロック間を接続する配線を形成するために割り当てられた領域を有する半導体装置の製造方法において、
機能ブロックを配置する領域では第１配線に対応する溝を、機能ブロック間を接続する配線を形成するために割り当てられた領域では、下層接地線又は電源線に対応する溝を同時に下層層間絶縁膜に形成する工程と、
該溝にダマシンプロセスによりバリアメタル層を形成し、更に、配線材料膜を成膜し、化学機械研磨により溝部分のみに配線材料を残すことで第１配線と下部接地線又は電源線とを形成する工程と、
配線材料の拡散阻止機能を有する第１絶縁膜を堆積した後、第１層間絶縁膜を堆積し、機能ブロックを配置する領域では第１配線と第２配線を接続する穴を形成する工程と、
続いて機能ブロックを配置する領域では第２配線に対応する溝を、機能ブロック間を接続する配線を形成するために割り当てられた領域では、信号線に対応する溝を同時に形成する工程と、
該溝にダマシンプロセスによりバリアメタル層を形成し、更に、配線材料膜を成膜し、化学機械研磨により溝部分のみに配線材料を残すことで第２配線と信号線とを形成する工程と、
配線材料の拡散阻止機能を有する第２絶縁膜を堆積した後、第２層間絶縁膜を堆積し、機能ブロックを配置する領域では接続穴を形成する工程と、
機能ブロックを配置する領域では、第３配線に対応する溝を、機能ブロック間を接続する配線を形成するために割り当てられた領域では、上部接地線又は電源線に対応する溝を同時に形成する工程と、
該溝にダマシンプロセスによりバリアメタル層を形成し、更に、配線材料膜を成膜し化学機械研磨により溝部分のみに配線材料を残すことで第３配線と上部接地線又は電源線とを形成したのち、配線材料の拡散阻止機能を有する第３絶縁膜を堆積する工程を含むことを特徴とする半導体装置の製造方法。
【請求項２】
複数の機能ブロックを配置する領域と機能ブロック間を接続する配線を形成するために割り当てられた領域を有する半導体装置の製造方法において、
機能ブロックを配置する領域上では第１配線に対応する溝を、機能ブロック間を接続する配線を形成するために割り当てられた領域では、同軸線としての信号線を囲む接地線の下部に対応する溝を同時に下層層間絶縁膜に形成する工程と、
該溝にダマシンプロセスによりバリアメタル層を形成し、更に、配線材料膜を成膜し、化学機械研磨により溝部分のみに配線材料を残すことで第１配線と設置線の下部とを形成する工程と、
配線材料の拡散阻止機能を有する第１絶縁膜を堆積した後、第１層間絶縁膜を堆積し、機能ブロックを配置する領域では第１配線と第２配線を接続する穴を、機能ブロック間を接続する配線を形成するために割り当てられた領域では、接地線の側壁に対応する溝を同時に第１層間絶縁膜に形成する工程と、
続いて機能ブロックを配置する領域では第２配線に対応する溝を、機能ブロック間を接続する配線を形成するために割り当てられた領域では、信号線に対応する溝を同時に１層間絶縁膜に形成する工程と、
該溝にダマシンプロセスによりバリアメタル層を形成し、更に、配線材料膜を成膜し、化学機械研磨により溝部分のみに配線材料を残すことで第２配線、接地線の側壁と信号線とを形成する工程と、
配線材料の拡散阻止機能を有する第２絶縁膜を堆積した後、第２層間絶縁膜を堆積し、機能ブロックを配置する領域では接続穴を、機能ブロック間を接続する配線を形成するために割り当てられた領域では、接地線の側壁に対応する溝と信号線に対応する溝を同時に第２層間絶縁膜に形成する工程と、
続いて機能ブロックを配置する領域では、第３配線に対応する溝を、機能ブロック間を接続する配線を形成するために割り当てられた領域では接地線の側壁に対応する溝と信号線に対応する溝を同時に第２層間絶縁膜に形成する工程と、
該溝にダマシンプロセスによりバリアメタル層を形成し、更に、配線材料膜を成膜し化学機械研磨により溝部分のみに配線材料を残すことで第３配線と信号線とを形成したのち、配線材料の拡散阻止機能を有する第３絶縁膜を堆積した後、第３層間絶縁膜を堆積し、機能ブロックを配置する領域では接続穴を、機能ブロック間を接続する配線を形成するために割り当てられた領域では、接地線の側壁に対応する溝を同時に第３層間絶縁膜に形成する工程と、
機能ブロックを配置する領域では、第４配線に対応する溝を、機能ブロック間を接続する配線を形成するために割り当てられた領域では、接地線の上部に対応する溝を同時に第３層間絶縁膜に形成する工程と、
該溝にダマシンプロセスによりバリアメタル層を形成し、更に、配線材料膜を成膜し化学機械研磨により溝部分のみに配線材料を残すことで第４配線と接地線の上部とを形成したのち、配線材料の拡散防止機能を有する第４絶縁膜を堆積する工程を含むことを特徴とする半導体装置の製造方法。
【請求項３】
複数の機能ブロックを配置する領域と機能ブロック間を接続する配線を形成するために割り当てられた領域を有する半導体装置の製造方法において、
機能ブロックを配置する領域に第１配線に対応する溝を下層層間絶縁膜に形成する工程と、
該溝にダマシンプロセスによりバリアメタル層を形成し、更に、配線材料膜を成膜し、化学機械研磨により溝部分のみに配線材料を残すことで第１配線を形成する工程と、
配線材料の拡散阻止機能を有する第１絶縁膜を堆積した後、第１層間絶縁膜を堆積し、機能ブロックを配置する領域では第１配線と第２配線を接続する穴を、機能ブロック間を接続する配線を形成するために割り当てられた領域では信号線に対応する溝を同時に第１層間絶縁膜に形成する工程と、
続いて機能ブロックを配置する領域では第２配線に対応する溝を形成し、該溝にダマシンプロセスによりバリアメタル層を形成し、更に、配線材料膜を成膜し、化学機械研磨により溝部分のみに配線材料を残すことで第２配線と信号線とを形成する工程と、
配線材料の拡散阻止機能を有する第２絶縁膜を堆積する工程を含むこと特徴とする半導体装置の製造方法。
【発明の詳細な説明】
【０００１】
【発明の属する技術分野】
本発明は半導体装置の製造方法に関し、特に機能ブロック内の短距離配線とブロック間を結ぶ長距離配線をそれぞれの目的に合わせた最適な構造を工程数、配線層数を増大させずに形成しうる配線構造を備えた半導体装置の製造方法に関するものである。
【０００２】
【従来の技術】
半導体装置（半導体集積回路）の微細化、高速化、高集積化とともに、配線に起因する信号遅延が増大するという問題が生じている。配線に起因する信号遅延は配線の容量と配線の抵抗の積によって決定される。
配線の容量は、配線間隔、配線厚さ、配線間の絶縁膜の誘電率によって決定される。配線間隔は多層化することで広げることができ、その結果容量を低減できるが、多層化により工程数が増え製造コストの上昇、歩留まりの低下という別の問題が生じる。配線を薄くすると配線間の容量は低減できるが、配線抵抗が上昇する。また、電流密度が上昇するため低抵抗でエレクトロマイグレーション耐性の高い配線材料を使用する必要がある。更に、低誘電率膜を使用すると配線容量は低減できる。更にまた、配線抵抗は、配線を厚くすること、及び低抵抗の配線材料を使用することで小さくすることができる。
【０００３】
以上を考慮し、現在、高性能半導体装置では、図１に示すように低抵抗かつエレクトロマイグレーション耐性を有する銅の使用と低誘電率絶縁膜の使用がなされている。また、多層配線の下層に位置する短距離配線では、直列するトランジスタのオン抵抗が配線抵抗より大きいため、配線容量が重要であり、このため薄い配線を使用している。一方、長距離配線では、ドライビング能力の高い低抵抗トランジスタを使用するため配線抵抗がより重要で厚い配線を広い配線間隔で配置する構造をとっている。
図１中、１は半導体素子を形成した半導体基板、２は層間絶縁膜、３は薄い短距離配線、４は低誘電率の層間絶縁膜、５は中間的な厚さの中距離配線、６は厚い機能ブロック間の接続に用いる長距離配線をそれぞれ意味している。
【０００４】
【発明が解決しようとする課題】
しかし以上のように配線構造を最適化しても、とくに長距離配線において数ＧＨｚ以上の周波数の信号をチップサイズの距離にわたって伝達させることは、配線抵抗と配線容量の制限により難しくなりつつある。
数ＧＨｚ以上の高周波の信号が、チップサイズである１ｃｍ前後の距離を良好に伝播するためには、マイクロストリップラインや同軸ケーブル（同軸線）のような伝送線路を用い、終端でインピーダンス整合を行うことにより、ＲＣ遅延をなくすことが望ましい。これを実現するためには、通常の方法で多層配線を形成した後、伝送線を形成することが考えられる。しかしながら、このような構造で多層配線と伝送線を形成するには、大幅な工程数の増大が避けられない。
【０００５】
【課題を解決するための手段】
本発明は以上のことを解決するために考案されたもので、工程数を増大させることなく、機能ブロックを配置する領域の通常の配線構造と機能ブロック間を接続する配線を形成するために割り当てられた領域の伝送線又は同軸線とを同時に形成するものである。
【００１０】
かくして、本発明によれば、複数の機能ブロックを配置する領域と機能ブロック間を接続する配線を形成するために割り当てられた領域を有する半導体装置の製造方法において、
機能ブロックを配置する領域では第１配線に対応する溝を、機能ブロック間を接続する配線を形成するために割り当てられた領域では、下層接地線又は電源線に対応する溝を同時に下層層間絶縁膜に形成する工程と、
該溝にダマシンプロセスによりバリアメタル層を形成し、更に、配線材料膜を成膜し、化学機械研磨により溝部分のみに配線材料を残すことで第１配線と下部接地線又は電源線とを形成する工程と、
配線材料の拡散阻止機能を有する第１絶縁膜を堆積した後、第１層間絶縁膜を堆積し、機能ブロックを配置する領域では第１配線と第２配線を接続する穴を形成する工程と、
続いて機能ブロックを配置する領域では第２配線に対応する溝を、機能ブロック間を接続する配線を形成するために割り当てられた領域では、信号線に対応する溝を同時に形成する工程と、
該溝にダマシンプロセスによりバリアメタル層を形成し、更に、配線材料膜を成膜し、化学機械研磨により溝部分のみに配線材料を残すことで第２配線と信号線とを形成する工程と、
配線材料の拡散阻止機能を有する第２絶縁膜を堆積した後、第２層間絶縁膜を堆積し、機能ブロックを配置する領域では接続穴を形成する工程と、
機能ブロックを配置する領域では、第３配線に対応する溝を、機能ブロック間を接続する配線を形成するために割り当てられた領域では、上部接地線又は電源線に対応する溝を同時に形成する工程と、
該溝にダマシンプロセスによりバリアメタル層を形成し、更に、配線材料膜を成膜し化学機械研磨により溝部分のみに配線材料を残すことで第３配線と上部接地線又は電源線とを形成したのち、配線材料の拡散阻止機能を有する第３絶縁膜を堆積する工程を含むことを特徴とする半導体装置の製造方法が提供される。
【００１１】
更に、本発明によれば、複数の機能ブロックを配置する領域と機能ブロック間を接続する配線を形成するために割り当てられた領域を有する半導体装置の製造方法において、
機能ブロックを配置する領域上では第１配線に対応する溝を、機能ブロック間を接続する配線を形成するために割り当てられた線領域では、同軸線としての信号線を囲む接地線の下部に対応する溝を同時に下層層間絶縁膜に形成する工程と、
該溝にダマシンプロセスによりバリアメタル層を形成し、更に、配線材料膜を成膜し、化学機械研磨により溝部分のみに配線材料を残すことで第１配線と設置線の下部とを形成する工程と、
配線材料の拡散阻止機能を有する第１絶縁膜を堆積した後、第１層間絶縁膜を堆積し、機能ブロックを配置する領域では第１配線と第２配線を接続する穴を、機能ブロック間を接続する配線を形成するために割り当てられた領域では、接地線の側壁に対応する溝を同時に第１層間絶縁膜に形成する工程と、
続いて機能ブロックを配置する領域では第２配線に対応する溝を、機能ブロック間を接続する配線を形成するために割り当てられた領域では、信号線に対応する溝を同時に１層間絶縁膜に形成する工程と、
該溝にダマシンプロセスによりバリアメタル層を形成し、更に、配線材料膜を成膜し、化学機械研磨により溝部分のみに配線材料を残すことで第２配線、接地線の側壁と信号線とを形成する工程と、
配線材料の拡散阻止機能を有する第２絶縁膜を堆積した後、第２層間絶縁膜を堆積し、機能ブロックを配置する領域では接続穴を、機能ブロック間を接続する配線を形成するために割り当てられた領域では、接地線の側壁に対応する溝と信号線に対応する溝を同時に第２層間絶縁膜に形成する工程と、
続いて機能ブロックを配置する領域では、第３配線に対応する溝を、機能ブロック間を接続する配線を形成するために割り当てられた領域では接地線の側壁に対応する溝と信号線に対応する溝を同時に第２層間絶縁膜に形成する工程と、
該溝にダマシンプロセスによりバリアメタル層を形成し、更に、配線材料膜を成膜し化学機械研磨により溝部分のみに配線材料を残すことで第３配線と信号線とを形成したのち、配線材料の拡散阻止機能を有する第３絶縁膜を堆積した後、第３層間絶縁膜を堆積し、機能ブロックを配置する領域では接続穴を、機能ブロック間を接続する配線を形成するために割り当てられた領域では、接地線の側壁に対応する溝を同時に第３層間絶縁膜に形成する工程と、
機能ブロックを配置する領域では、第４配線に対応する溝を、機能ブロック間を接続する配線を形成するために割り当てられた領域では、接地線の上部に対応する溝を同時に第３層間絶縁膜に形成する工程と、
該溝にダマシンプロセスによりバリアメタル層を形成し、更に、配線材料膜を成膜し化学機械研磨により溝部分のみに配線材料を残すことで第４配線と接地線の上部とを形成したのち、配線材料の拡散防止機能を有する第４絶縁膜を堆積する工程を含むことを特徴とする半導体装置の製造方法が提供される。
【００１２】
また、本発明によれば、複数の機能ブロックを配置する領域と機能ブロック間を接続する配線を形成するために割り当てられた領域を有する半導体装置の製造方法において、
機能ブロックを配置する領域に第１配線に対応する溝を下層層間絶縁膜に形成する工程と、
該溝にダマシンプロセスによりバリアメタル層を形成し、更に、配線材料膜を成膜し、化学機械研磨により溝部分のみに配線材料を残すことで第１配線を形成する工程と、
配線材料の拡散阻止機能を有する第１絶縁膜を堆積した後、第１層間絶縁膜を堆積し、機能ブロックを配置する領域では第１配線と第２配線を接続する穴を、機能ブロック間を接続する配線を形成するために割り当てられた領域では信号線に対応する溝を同時に第１層間絶縁膜に形成する工程と、
続いて機能ブロックを配置する領域では第２配線に対応する溝を形成し、該溝にダマシンプロセスによりバリアメタル層を形成し、更に、配線材料膜を成膜し、化学機械研磨により溝部分のみに配線材料を残すことで第２配線と信号線とを形成する工程と、
配線材料の拡散阻止機能を有する第２絶縁膜を堆積する工程を含むこと特徴とする半導体装置の製造方法が提供される。
【００１３】
【発明の実施の形態】
半導体装置は、図２の平面図に示すように複数の機能ブロックから形成されている。図２中、７は機能ブロックを配置する領域（以下、単に機能ブロックとも称する）、８は機能ブロック間を接続する配線を形成するために割り当てられた領域（以下、単に機能ブロック間領域とも称する）を意味する。半導体装置の配線は、機能ブロック７の半導体素子を接続する短距離及び中距離配線と、機能ブロック間領域８の長距離配線とを意味する。本発明では、機能ブロック７と機能ブロック間領域８で異なる構造を有する配線を形成することを特徴とする。
【００１４】
更に、本発明の構造を詳しく述べると、図３（１）〜（３）に示すような構成となる。
機能ブロック内は、図３（１）に示すような従来の配線構造により構成することができ、既存の機能ブロックの設計レイアウト資産をそのまま生かすことができる。
【００１５】
これに対し、機能ブロック間領域には、図３（２）に示すような金属層（信号線）１７を金属層１２、１５、１６、２０、２１で構成される接地層で取り囲む構成の同軸線を配置することができる。また、図３（３）で示すような、金属層（信号線）１８を金属層１２と２１で上下に挟む構造が挙げられる。１２及び２１は接地線又は電源線として機能し、信号線と共に伝送線となる。
【００１６】
なお、図３（１）〜（３）中、９は、機能ブロック内の半導体基板、１０は、機能ブロック間領域内の半導体基板を意味する。機能ブロック内の半導体基板には、所望の箇所に半導体素子が形成されていてもよい。また、１２、１５〜１８、２０及び２１は、銅等からなる金属層を意味している。これら金属層にはその周辺にバリアメタル層が形成されていてもよい。更に、１１、１３、１４、１９、２２及び２３は層間絶縁膜を意味する。
【００１７】
上記配線構造は、公知のダマシンプロセスで、パターンのレイアウトを最適化することで形成することができる。例えば、機能ブロック間領域に同軸線を形成するためには、機能ブロック内で第１配線（図３（１）の金属層１２）を形成する工程で、機能ブロック間領域では信号線を囲む接地線の下部（図３（２）の金属層１２）を形成する。機能ブロック内で第１配線と第２配線のビア接続及び第２配線（図３（１）の金属層１５と１６）を形成する工程で、機能ブロック間領域では、信号線と信号線を取り囲む接地線の側壁（図３（２）の金属層１５〜１７）が形成される。機能ブロック内で第２配線と第３配線のビア接続及び第３配線（図３（１）の金属層２０及び２１）を形成する工程では、機能ブロック間領域では、信号線と信号線を取り囲む接地線の側壁と接地線の上部（図３（２）の金属層２０及び２１）を形成する。更に多層の配線を形成する際は、同様の工程で第２層目の同軸線を形成することができる。また用途に応じ、同様の方法でインダクタや容量を形成することができる。
【００１８】
【実施例】
以下に発明の具体的実施例を示す。
実施例１（参考例）
実施例１を図４の（Ａ−１）〜（Ａ−４）と（Ｂ−１）〜（Ｂ−４）及び図５の（Ａ−１）〜（Ａ−２）と（Ｂ−１）〜（Ｂ−２）を用いて説明する。これら図の左側は、機能ブロック（図２の７に対応）の通常の配線層の形成工程の断面を示し、右側は機能ブロック間領域（図２の８に対応）における長距離配線の形成工程の断面を示す。
【００１９】
図４の（Ａ−１）及び（Ｂ−１）は、トランジスタの形成工程を終えた半導体基板２４上の下層層間絶縁膜２５ａ上に、機能ブロックでは、第１配線に対応する溝２６を、機能ブロック間領域では、同軸線としての信号線を囲む接地線の下部に対応する溝２７を同時に形成した状態をしめす。溝の深さは３０００〜５０００Åとすることができるが、今後の微細化とともに溝は更に浅くなることが予測されるため、特定の厚さに限定されない。
【００２０】
図４の（Ａ−２）及び（Ｂ−２）は、溝２６及び２７に公知のダマシンプロセスによりＴａ、ＴａＮ、ＴｉＮ等のバリアメタル層２８を１００〜５００Å程度形成し、更に公知の電解メッキ法又はＣＶＤ法によって全面に銅膜（配線材料膜）を形成し、化学機械研磨（ＣＭＰ）により溝部分のみに銅膜２９を残し第１配線と接地線の下部とを形成した状態を示す。該工程は公知の方法をそのまま使用することができる。
【００２１】
図４の（Ａ−３）及び（Ｂ−３）は、銅の拡散阻止機能を有する第１絶縁膜３０、例えば窒素化珪素を１００〜５００Å堆積した後、第１層間絶縁膜２５ｂを６０００〜１５０００Å堆積し、公知のデュアルダマシンプロセスで接続穴３１と溝３２を形成した状態を示す。ここで層間絶縁膜は従来のＳｉＯ２でも各種の低誘電率膜でもかまわない。低誘電率膜の加工を行う場合は、層間絶縁膜を単一層ではなく積層膜を用いる場合がある。また、膜種に応じてエッチング工程は異なるが、本発明ではその差は重要ではない。
【００２２】
ＳｉＯ２膜を第１層間絶縁膜２５ｂとして用いた場合を例にとり説明する。該工程で機能ブロックでは第１配線と第２配線の接続穴３１を形成し、このとき機能ブロック間領域では、接地線の側壁に対応する溝３２が形成される。続いて機能ブロックでは第２配線に対応する溝３３が形成され、同時に機能ブロック間領域では信号線に対応する溝３４が形成される。溝の深さは３０００〜５０００Åであるが、第１配線と同様に厚さは特に限定されない。
【００２３】
図４の（Ａ−４）及び（Ｂ−４）は、公知のダマシンプロセスとＣＭＰでバリアメタル層３５と銅膜３６からなる第２配線、接地線の側壁と信号線とを形成した状態を示す。
【００２４】
図５の（Ａ−１）及び（Ｂ−１）は、銅の拡散阻止機能を有する第２絶縁膜３７、例えば窒素化珪素を１００〜５００Å堆積した後、第２層間絶縁膜２５ｃを６０００〜１５０００Å堆積し、公知のダマシンプロセスで接続穴３８と溝３９〜４１を形成した状態を示す。まず、機能ブロックでは、接続穴３８を形成し、同時に接地線の側壁に対応する溝３９が形成される。続いて機能ブロックでは、第３配線に対応する溝４０が形成され、同時に機能ブロック間領域では、接地線の上部に対応する溝４１が形成される。
【００２５】
図５の（Ａ−２）及び（Ｂ−２）は、公知のダマシンプロセスとＣＭＰでバリアメタル層４２と銅膜４３からなる第３配線と接地線の上部を形成したのち、銅の拡散阻止機能を有する第３絶縁膜４４、例えば窒素化珪素を１００〜５００Å堆積した状態を示す。
上記のようにして機能ブロックでは３層配線が形成され、機能ブロック間領域では同軸線が形成される。更に上記配線工程を継続することで、第２層目の同軸線を形成することができる。
【００２６】
図６（Ａ−１）〜（Ａ−５）及び（Ｂ−１）〜（Ｂ−５）には、この実施例の配線を形成するためのマスクの一例を示す。図の左側は機能ブロック、右側は機能ブロック間領域形成用のマスクに対応する。
図６の（Ａ−１）及び（Ｂ−１）のパターン４５と４６は、図４の（Ａ−１）及び（Ｂ−１）の第１配線形成の溝２６、接地線の下部形成用の溝２７のパターンに対応する。図６の（Ａ−１）及び（Ｂ−１）のパターン４７と４８は、図４の（Ａ−３）及び（Ｂ−３）の接続穴３１と接地線の側壁形成用の溝３２のパターンに対応する。
図６の（Ａ−３）及び（Ｂ−３）のパターン４９と５０は、図４の（Ａ−３）及び（Ｂ−３）の第２配線形成用の溝３３と信号線形成用の溝３４のパターンに対応する。
【００２７】
図６の（Ａ−４）及び（Ｂ−４）のパターン５１と５２は、図４の（Ａ−５）及び（Ｂ−５）の接続穴３８と接地線の側壁形成用の溝３９のパターンに対応する。更に、ここでは上層の同軸線と接続するための信号線の取だし５３も示されている。
図６の（Ａ−４）及び（Ｂ−４）のパターン５４と５５は、図５の（Ａ−１）及び（Ｂ−１）の第３配線形成用の溝４０と接地線の上部形成用の溝４１のパターンに対応する。更に、信号線が接地線の上部と接続するための接地線の窓５６が示されている。
【００２８】
実施例２
図７の（Ａ−１）〜（Ａ−４）と（Ｂ−１）〜（Ｂ−４）及び図８の（Ａ−１）〜（Ａ−２）と（Ｂ−１）〜（Ｂ−２）は、実施例２の半導体装置の製造工程の概略断面図であり、機能ブロック間領域に信号線５８を接地線又は電源線としての銅膜５７と５９で上下に挟ませた伝送線の構造を形成すること以外は、実施例１と同様に行った。図では、伝送線を２列形成している。
【００２９】
実施例３
図９の（Ａ−１）〜（Ａ−４）と（Ｂ−１）〜（Ｂ−４）及び図１０の（Ａ−１）〜（Ａ−３）と（Ｂ−１）〜（Ｂ−３）は、実施例３の半導体装置の製造工程の概略断面図であり、信号線の抵抗を更に低減するため、機能ブロックに第２配線と第３配線の接続穴と第３配線を更に形成し、その際に信号線を厚くして、機能ブロックでの第４配線形成までに同軸線を形成すること以外は、実施例１と同様に行った。図中、２５ｄは第３層間絶縁膜、６０は信号線に対応する溝、６１は第３絶縁膜、６２は第４配線と接地線の上部としての銅膜、６３は第４絶縁膜、６４は信号線としての銅膜を意味する。
【００３０】
実施例４
図１１の（Ａ−１）〜（Ａ−５）と（Ｂ−１）〜（Ｂ−５）は、実施例１を簡略化したものである。すなわち、機能ブロックの第１配線と第２配線の接続穴及び第２配線の形成において、機能ブロック間領域に厚い配線６５を形成すること以外は、実施例１と同様に行った。
【００３１】
【発明の効果】
本発明の半導体装置の製造方法によれば、工程数の増大を抑えつつ、機能ブロックと機能ブロック間領域で構造の異なる配線を同時に形成することができると共に、高周波を高速で伝達しうる構造の長距離配線を備えた半導体装置を実現できる。
【図面の簡単な説明】
【図１】従来の半導体装置の配線構造の概略断面図である。
【図２】本発明の半導体装置の概略平面図である。
【図３】本発明の半導体装置の概略断面図である。
【図４】本発明の半導体装置の製造方法の概略工程断面図である。
【図５】本発明の半導体装置の製造方法の概略工程断面図である。
【図６】本発明の半導体装置の製造方法の概略工程断面図である。
【図７】本発明の半導体装置の製造方法の概略工程断面図である。
【図８】本発明の半導体装置の製造方法の概略工程断面図である。
【図９】本発明の半導体装置の製造方法の概略工程断面図である。
【図１０】本発明の半導体装置の製造方法の概略工程断面図である。
【図１１】本発明の半導体装置の製造方法の概略工程断面図である。
【符号の説明】
１、９、１０、２４  半導体基板
２、４、１１、１３、１４、１９、２２、２３  層間絶縁膜
３  短距離配線
５  中距離配線
６  長距離配線
７  機能ブロック
８  機能ブロック間領域
１２、１５、１６、１７、１８、２０、２１  金属層
２５ａ  下層層間絶縁膜
２５ｂ  第１層間絶縁膜
２５ｃ  第２層間絶縁膜
２５ｄ  第３層間絶縁膜
２６、２７、３２、３３、３４、３９、４０、４１、６０  溝
２８、３５、４２  バリアメタル層
３０  第１絶縁膜
３１、３８  接続穴
２９、３６、４３、５７、５９、６２、６４  銅膜
３７  第２絶縁膜
４４  第３絶縁膜
４５、４６、４７、４８、４９、５０、５１、５２、５４、５５  パターン
５３  信号線の取だし
５６  接地線の窓
５８  信号線
６１  第３絶縁膜
６３  第４絶縁膜
６５  配線
【図１】
0003563030.tif 000002
【図２】
0003563030.tif 000003
【図３】
0003563030.tif 000004
【図４】
0003563030.tif 000005
【図５】
0003563030.tif 000006
【図６】
0003563030.tif 000007
【図７】
0003563030.tif 000008
【図８】
0003563030.tif 000009
【図９】
0003563030.tif 000010
【図１０】
0003563030.tif 000011
【図１１】
0003563030.tif 000012